(57)【要約】      （修正有）【課題】板状物の輪郭形状によらず円滑な製造関連処理が可能な板状物製造装置および板状物製造方法を提供する。【解決手段】板ガラスＧを保持する加工台と、保持された板ガラスＧに端面仕上げを施す砥石４とを備えた板状物製造装置において、仮想的に理想姿勢で保持された板ガラスＧにおける表面の任意の位置に定められ且つ座標原点となる回転中心点Ｏと、端面Ｇａにおける任意の位置に定めた仮想読取点Ｐ0の座標と、仮想読取点Ｐ0における端面Ｇａの接線Ｌ0とＸ軸との交差角度θ0と、実際に保持された板ガラスＧにおける端面Ｇａと座標軸平行直線との交点に位置する実際の読取点の座標と、に基づいて、実際に保持された板ガラスＧが、回転中心点Ｏを中心として理想姿勢から傾斜した傾斜角度θを制御部で割り出し、この割り出された傾斜角度θを工具保持部で補正すると共に、傾斜角度θが補正された状態で、板ガラスＧに端面仕上げを施すように構成する。【選択図】図５
2014210329.tif 000002
【特許請求の範囲】
【請求項１】
板状物を保持する保持部と、保持された前記板状物に製造関連処理を施す処理部とを備えた板状物製造装置において、
仮想的に理想姿勢で保持された前記板状物における表面の任意の位置に定められ且つ座標原点となる回転中心点と、前記表面の外周輪郭における任意の位置に定めた仮想読取点の座標と、該仮想読取点における外周輪郭の接線と座標軸との交差角度と、
実際に保持された前記板状物における表面の外周輪郭と前記仮想読取点を座標軸と平行に通過する座標軸平行直線との交点に位置する実際の読取点の座標と、に基づいて、
実際に保持された前記板状物が、前記回転中心点を中心として前記理想姿勢から傾斜した傾斜角度を割り出し、この割り出された傾斜角度を補正する補正手段を有すると共に、該補正手段により前記傾斜角度が補正された状態で、前記板状物に製造関連処理を施すように構成したことを特徴とする板状物製造装置。
【請求項２】
前記座標がＸＹ座標であり、前記仮想読取点の座標を（Ｘ0，Ｙ0）、前記接線とＸ軸との交差角度をθ0、前記座標軸平行直線に沿った前記仮想読取点に対する前記読取点の変位をΔＹとして、前記傾斜角度θの値を、
【数１】
2014210329.tif 000018
により割り出すことを特徴とする請求項１に記載の板状物製造装置。
【請求項３】
前記座標がＸＹ座標であり、前記仮想読取点の座標を（Ｘ0，Ｙ0）、前記接線とＸ軸との交差角度をθ0、前記座標軸平行直線に沿った前記仮想読取点に対する前記読取点の変位をΔＹとし、さらに、仮想的に理想姿勢で保持された前記板状物について、Ｘ軸と、前記仮想読取点及び前記回転中心点を通過する直線との、交差角度をθ1として、前記傾斜角度θの値を、
【数２】
2014210329.tif 000019
により割り出すことを特徴とする請求項１に記載の板状物製造装置。
【請求項４】
前記座標がＸＹ座標であり、前記仮想読取点の座標を（Ｘ0，Ｙ0）、前記接線とＸ軸との交差角度をθ0、前記座標軸平行直線に沿った前記仮想読取点に対する前記読取点の変位をΔＹとし、さらに、仮想的に理想姿勢で保持された前記板状物について、Ｘ軸と、前記仮想読取点及び前記回転中心点を通過する直線との、交差角度をθ1として、前記傾斜角度θの値を、
【数３】
2014210329.tif 000020
により割り出すことを特徴とする請求項１に記載の板状物製造装置。
【請求項５】
仮想的に理想姿勢で保持された前記板状物における前記仮想読取点を互いに位置が異なった任意の複数箇所として定めると共に、各箇所の座標と、前記回転中心点と、各箇所における前記外周輪郭の接線と座標軸との交差角度と、各箇所に対応する実際の前記読取点の座標とに基づいて前記傾斜角度をそれぞれ割り出し、これらの平均値を前記補正手段により補正することを特徴とする請求項１〜４のいずれかに記載の板状物製造装置。
【請求項６】
保持部に保持された板状物に製造関連処理を施す板状物製造方法において、
仮想的に理想姿勢で保持された前記板状物における表面の任意の位置に定められ且つ座標原点となる回転中心点と、前記表面の外周輪郭における任意の位置に定めた仮想読取点の座標と、該仮想読取点における外周輪郭の接線と座標軸との交差角度と、
実際に保持された前記板状物における表面の外周輪郭と前記仮想読取点を座標軸と平行に通過する座標軸平行直線との交点に位置する実際の読取点の座標と、に基づいて、
実際に保持された前記板状物が、前記回転中心点を中心として前記理想姿勢から傾斜した傾斜角度を割り出し、この割り出された傾斜角度を補正する補正工程を有すると共に、該補正工程で前記傾斜角度が補正された後に、前記板状物に製造関連処理を施すことを特徴とする板状物製造方法。
【請求項７】
前記座標がＸＹ座標であり、前記仮想読取点の座標を（Ｘ0，Ｙ0）、前記接線とＸ軸との交差角度をθ0、前記座標軸平行直線に沿った前記仮想読取点に対する前記読取点の変位をΔＹとして、前記傾斜角度θの値を、
【数１】
2014210329.tif 000021
により割り出すことを特徴とする請求項６に記載の板状物製造方法。
【請求項８】
前記座標がＸＹ座標であり、前記仮想読取点の座標を（Ｘ0，Ｙ0）、前記接線とＸ軸との交差角度をθ0、前記座標軸平行直線に沿った前記仮想読取点に対する前記読取点の変位をΔＹとし、さらに、仮想的に理想姿勢で保持された前記板状物について、Ｘ軸と、前記仮想読取点及び前記回転中心点を通過する直線との、交差角度をθ1として、前記傾斜角度θの値を、
【数２】
2014210329.tif 000022
により割り出すことを特徴とする請求項６に記載の板状物製造方法。
【請求項９】
前記座標がＸＹ座標であり、前記仮想読取点の座標を（Ｘ0，Ｙ0）、前記接線とＸ軸との交差角度をθ0、前記座標軸平行直線に沿った前記仮想読取点に対する前記読取点の変位をΔＹとし、さらに、仮想的に理想姿勢で保持された前記板状物について、Ｘ軸と、前記仮想読取点及び前記回転中心点を通過する直線との、交差角度をθ1として、前記傾斜角度θの値を、
【数３】
2014210329.tif 000023
により割り出すことを特徴とする請求項６に記載の板状物製造方法。
【請求項１０】
仮想的に理想姿勢で保持された前記板状物における前記仮想読取点を互いに位置が異なった任意の複数箇所として定めると共に、各箇所の座標と、前記回転中心点と、各箇所における前記外周輪郭の接線と座標軸との交差角度と、各箇所に対応する実際の前記読取点の座標とに基づいて前記傾斜角度をそれぞれ割り出し、これらの平均値を前記補正工程により補正することを特徴とする請求項６〜９のいずれかに記載の板状物製造方法。
【発明の詳細な説明】
【技術分野】
【０００１】
本発明は、板ガラスや合わせガラス等の板状物を保持し、当該板状物に端面仕上げ等の製造関連処理を施す板状物製造装置、及び板状物製造方法に関する。
【背景技術】
【０００２】
周知のように、液晶ディスプレイ、プラズマディスプレイ、エレクトロルミネッセンスディスプレイ、有機ＥＬディスプレイ等のフラットパネルディスプレイや、太陽電池等に使用される板ガラスは、その製造工程において、レーザーやウォータージェット等を用いた切断により所望の形状、サイズに切り出された後、その端面に対し、砥石等を用いた研削を実施して、端面仕上げを行うのが通例となっている。
【０００３】
この端面仕上げは、例えば、特許文献１に開示されるように、加工台等に板ガラスを載置した後、当該板ガラスの端面（表面の外周輪郭）に沿った軌道上を、砥石が走行することでなされる。この軌道は、板ガラスの輪郭形状に応じて、端面仕上げの実施前に予め設定されており、矩形の板ガラスの場合には、例えば、図８に示すように、ＸＹ座標上において、砥石１００がＸ軸、Ｙ軸と平行に走行するように、その軌道Ｓが設定される。
【０００４】
従って、この場合には、同図に二点鎖線で表すように、端面仕上げの対象となる板ガラスＧは、その長辺がＸ軸と平行（短辺がＹ軸と平行）となった姿勢で、加工台（図示省略）に載置されることが理想である。そのため、この理想姿勢で載置することを目的として、板ガラスＧの端面と当接させて、当該板ガラスＧの位置決めを実行するための複数のガイド（図示省略）を設置する場合がある。
【０００５】
しかしながら、このようなガイドを設置した場合であっても、同図に実線で表すように、板ガラスＧが、ある回転中心点Ｏを中心として、不可避に理想姿勢から傾斜した姿勢で、加工台に載置されてしまう場合がある。この状態で軌道Ｓに沿って砥石１００を走行させると、研削による削り代が、適正量に対して過大となる部位と、過小となる部位とが発生する。そして、過大となる部位においては、研削抵抗が増加したり、板ガラスＧの破損を招いたりする不具合が生じ、過小となる部位においては、板ガラスＧを所望の品質に端面仕上げできない不具合が生じる。
【０００６】
このような不具合の発生を防止するため、例えば、外周輪郭における直線部の一つである長辺において、任意の二点の位置Ｐ100、Ｐ101の座標を、センサー等を用いて読み取った後、読み取り結果から、板ガラスＧが理想姿勢から傾斜した傾斜角度θを割り出す。そして、この割り出されたθの値に基づいて、軌道Ｓを回転中心点Ｏの周りに角度θだけ傾斜させる補正を実施する。このようにすれば、研削による端面仕上げを好適に行うことができる。
【０００７】
なお、この場合、板ガラスＧが、回転中心点Ｏを中心として、理想姿勢から傾斜した傾斜角度θは、Ｐ100、Ｐ101の座標をＰ100（Ｘ100，Ｙ100）、Ｐ101（Ｘ101，Ｙ101）とすれば、下記の式から容易に求めることができる。
【数１】
2014210329.tif 000003
【先行技術文献】
【特許文献】
【０００８】
【特許文献１】特開２０１２−１８７６４２号公報
【発明の概要】
【発明が解決しようとする課題】
【０００９】
ところで、近年、従来から大量に製造されている矩形状の板ガラスに加えて、端面（表面の外周輪郭）が曲線のみで構成される等、直線部が存在しない形状を有した板ガラスの需要が高まっており、その製造量が増加するに至っている。このことに起因して、上述のような態様によって端面仕上げを行う場合には、下記のような難点がある。
【００１０】
例えば、板ガラスの輪郭形状が楕円である場合において、当該板ガラスが、理想姿勢から傾斜した姿勢で加工台に載置されると、その端面に直線部が存在しないことに起因して、直線部が存在する矩形の板ガラス等とは異なり、理想姿勢からの傾斜角度を割り出すことが困難であった。そのため、端面仕上げの円滑な実施が妨げられ、板ガラスの製造効率を悪化させるような事態を招いていた。
【００１１】
なお、このような問題は、板ガラスのみでなく、例えば、ガラス積層体や、樹脂板の表裏面に薄肉の板ガラスを貼り合せた積層体（合わせガラス）、金属板、セラミック板、半導体板等の板状物において、その外周輪郭が曲線のみで構成されているような場合に、当該板状物に端面仕上げを実施する際にも生じている問題である。さらには、端面仕上げに限らず、板状物に穴開け処理、フォトマスク処理や、印刷処理、塗布処理等の製造関連処理を行う場合も同様であった。
【００１２】
上記事情に鑑みなされた本発明は、板状物の輪郭形状によらず、当該板状物への円滑な製造関連処理の実施を可能とすることを技術的課題とする。
【課題を解決するための手段】
【００１３】
上記課題を解決するために創案された本発明に係る装置は、板状物を保持する保持部と、保持された前記板状物に製造関連処理を施す処理部とを備えた板状物製造装置において、仮想的に理想姿勢で保持された前記板状物における表面の任意の位置に定められ且つ座標原点となる回転中心点と、前記表面の外周輪郭における任意の位置に定めた仮想読取点の座標と、該仮想読取点における外周輪郭の接線と座標軸との交差角度と、実際に保持された前記板状物における表面の外周輪郭と前記仮想読取点を座標軸と平行に通過する座標軸平行直線との交点に位置する実際の読取点の座標と、に基づいて、実際に保持された前記板状物が、前記回転中心点を中心として前記理想姿勢から傾斜した傾斜角度を割り出し、この割り出された傾斜角度を補正する補正手段を有すると共に、該補正手段により前記傾斜角度が補正された状態で、前記板状物に製造関連処理を施すように構成したことに特徴付けられる。ここで、「板状物」とは、板ガラス、ガラス積層体、板ガラスと樹脂板とを貼り合わせた積層体、金属板、セラミック板、半導体板等を含む（以下、同様）。また、「製造関連処理」とは、端面仕上げ、穴開け処理、フォトマスク処理、印刷処理、塗布処理等を含む（以下、同様）。さらに、「仮想読取点における外周輪郭の接線」とは、仮想読取点が外周輪郭の曲線部に位置する場合には、当該仮想読取点における接線を意味し、仮想読取点が外周輪郭の直線部に位置する場合には、この直線部と重なって延びる直線を意味する（以下、同様）。
【００１４】
このような構成によれば、仮想的に理想姿勢で保持された板状物における三つの要素（回転中心点、仮想読取点の座標、外周輪郭の接線と座標軸との交差角度）と、実際に保持された板状物における一つの要素（読取点の座標）との四つの要素のみに基づいて、傾斜角度を割り出すことができる（詳しくは、後述する実施形態を参照）。これにより、補正手段による傾斜角度の補正を極めて簡便に行うことが可能となるため、板状物の輪郭形状によらず、板状物に対する製造関連処理を円滑に実施することができる。
【００１５】
上記の構成において、前記座標がＸＹ座標であり、前記仮想読取点の座標を（Ｘ0，Ｙ0）、前記接線とＸ軸との交差角度をθ0、前記座標軸平行直線に沿った前記仮想読取点に対する前記読取点の変位をΔＹとして、前記傾斜角度θの値を、数２の式により割り出すようにしてもよい。
【数２】
2014210329.tif 000004
さらに、仮想的に理想姿勢で保持された前記板状物について、Ｘ軸と、前記仮想読取点及び前記回転中心点を通過する直線との、交差角度をθ1として、前記傾斜角度θの値を、数３の式、或いは、数４の式により割り出すようにしてもよい。
【数３】
2014210329.tif 000005
【数４】
2014210329.tif 000006
【００１６】
上記の構成において、仮想的に理想姿勢で保持された前記板状物における前記仮想読取点を互いに位置が異なった任意の複数箇所として定めると共に、各箇所の座標と、前記回転中心点と、各箇所における前記外周輪郭の接線と座標軸との交差角度と、各箇所に対応する実際の前記読取点の座標とに基づいて前記傾斜角度をそれぞれ割り出し、これらの平均値を前記補正手段により補正することが好ましい。
【００１７】
このようにすれば、四つの要素の組（回転中心点、仮想読取点の座標、外周輪郭の接線と座標軸との交差角度、読取点の座標）を一組とした各組（回転中心点以外の３つの要素は互いに異なる）に基づいて割り出された一つ一つの傾斜角度の値と、真の傾斜角度の値（真値）との間に、大きな誤差が発生している場合であっても、個々に割り出された傾斜角度の値について平均値をとれば、誤差が互いに打ち消されやすくなる。そのため、この平均値と、真の傾斜角度の値とを略等しくすることができ、より正確に傾斜角度を割り出すことが可能となる。
【００１８】
また、上記課題を解決するために創案された本発明に係る方法は、保持部に保持された板状物に製造関連処理を施す板状物製造方法において、仮想的に理想姿勢で保持された前記板状物における表面の任意の位置に定められ且つ座標原点となる回転中心点と、前記表面の外周輪郭における任意の位置に定めた仮想読取点の座標と、該仮想読取点における外周輪郭の接線と座標軸との交差角度と、実際に保持された前記板状物における表面の外周輪郭と前記仮想読取点を座標軸と平行に通過する座標軸平行直線との交点に位置する実際の読取点の座標と、に基づいて、実際に保持された前記板状物が、前記回転中心点を中心として前記理想姿勢から傾斜した傾斜角度を割り出し、この割り出された傾斜角度を補正する補正工程を有すると共に、該補正工程で前記傾斜角度が補正された後に、前記板状物に製造関連処理を施すことに特徴付けられる。
【００１９】
このような方法によれば、上記の板状物製造装置について、既に述べた事項と同様の作用効果を享受することができる。
【００２０】
上記の方法において、前記座標がＸＹ座標であり、前記仮想読取点の座標を（Ｘ0，Ｙ0）、前記接線とＸ軸との交差角度をθ0、前記座標軸平行直線に沿った前記仮想読取点に対する前記読取点の変位をΔＹとして、前記傾斜角度θの値を、数２の式により割り出すようにしてもよい。
【数２】
2014210329.tif 000007
さらに、仮想的に理想姿勢で保持された前記板状物について、Ｘ軸と、前記仮想読取点及び前記回転中心点を通過する直線との、交差角度をθ1として、前記傾斜角度θの値を、数３の式、或いは、数４の式により割り出すようにしてもよい。
【数３】
2014210329.tif 000008
【数４】
2014210329.tif 000009
【００２１】
上記の方法において、仮想的に理想姿勢で保持された前記板状物における前記仮想読取点を互いに位置が異なった任意の複数箇所として定めると共に、各箇所の座標と、前記回転中心点と、各箇所における前記外周輪郭の接線と座標軸との交差角度と、各箇所に対応する実際の前記読取点の座標とに基づいて前記傾斜角度をそれぞれ割り出し、これらの平均値を前記補正工程により補正することが好ましい。
【００２２】
このようにすれば、上記の板状物製造装置について、既に述べた事項と同様の作用効果を享受することができる。
【発明の効果】
【００２３】
以上のように、本発明によれば、補正手段による傾斜角度の補正を極めて簡便に行うことが可能となるため、板状物の輪郭形状によらず、当該板状物への円滑な製造関連処理の実施が可能となる。
【図面の簡単な説明】
【００２４】
【図１】本発明の実施形態に係る板状物製造装置を示す側面図である。
【図２】本発明の実施形態に係る板状物製造装置を示す平面図である。
【図３】加工台に載置された板ガラスを示す平面図である。
【図４】本発明の実施形態に係る板状物製造方法を示す平面図である。
【図５】本発明の実施形態に係る板状物製造方法を示す平面図である。
【図６】図５において仮想読取点の付近を拡大した拡大図である。
【図７】本発明の実施形態に係る板状物製造方法を示す平面図である。
【図８】従来における板状物製造方法を示す平面図である。
【発明を実施するための形態】
【００２５】
以下、本発明の実施形態について添付の図面を参照して説明する。なお、本実施形態においては、板状物は板ガラスであり、表面の輪郭形状が楕円である板ガラスに、製造関連処理として研削による端面仕上げを施す場合を例に挙げて説明している。しかしながら、後述のように、本発明に係る板状物製造装置、及び板状物製造方法は、このような態様に限定されるものではない。
【００２６】
図１は、本発明の実施形態に係る板状物製造装置を示す側面図であり、図２は、その平面図である。これらの図に示すように、板状物製造装置１は、板ガラスＧを保持する加工台８と、板ガラスＧの端面Ｇａを研削する砥石４を保持すると共に、軌道Ｓに沿って走行させる工具保持部２と、端面Ｇａの任意の位置における座標を読み取る座標読取部５と、板ガラスＧにおける各情報（詳細は後述する）が登録されると共に、これらの情報に基づいて工具保持部２の動きを制御する制御部１１とを主要な要素として構成される。
【００２７】
加工台８は、定位置に固定されて設置されると共に、板ガラスＧが載置される載置面９を有しており、載置面９は、板ガラスＧと同様に、その輪郭形状が楕円に形成されている。また、載置面９は、板ガラスＧの表面の外周輪郭を形成する端面Ｇａが加工台８から食み出すように、当該板ガラスＧに対して一回り小さい面積を有する。さらに、載置面９には、板ガラスＧに対して負圧を作用させることにより、当該板ガラスＧを吸着して、加工台８に固定するための多数の吸引孔１０が設けられている。この吸引孔１０のそれぞれは、図示省略の吸着手段（例えば、真空ポンプ等）と接続されている。加えて、加工台８には、板ガラスＧを理想姿勢（詳細は後述する）で載置すべく、端面Ｇａと当接して、板ガラスＧの位置決めを実行するための複数のガイド（図示省略）が備えられている。このガイドは、位置決めの実行時には、予め定まった固定位置で待機すると共に、位置決めが完了すると、砥石４との接触を防止するため、固定位置から退避するように構成されている。ここで、板ガラスＧの加工台８からの食み出し寸法は、当該板ガラスＧの板厚寸法に対して５０％以上で、且つ３００％以下であることが好ましい。
【００２８】
制御部１１には、図３に二点鎖線で表すように、仮想的に理想姿勢で加工台８（図示省略）に保持された板ガラスＧに関して、（１）表面における任意の位置に定められると共にＸＹ座標の原点となり、且つ当該板ガラスＧの理想姿勢からの傾きを補正する中心点となる回転中心点Ｏと、（２）板ガラスＧの輪郭形状と、（３）端面Ｇａにおける任意の位置に定められ、且つ座標読取部５が読み取る予定位置となる単数、又は複数の仮想読取点Ｐ0の座標との（１）〜（３）の情報が登録される。また、図３に実線で表すように、理想姿勢から回転中心点Ｏの周りに、未知の傾斜角度θだけ傾斜した姿勢で、実際に加工台８に保持された板ガラスＧに関して、（４）座標読取部５により、表面の外周輪郭を形成する端面Ｇａと仮想読取点Ｐ0をＹ軸と平行に通過する座標軸平行直線ＹＹとの交点に位置する実際の読取点Ｐ1の座標の情報が登録される。また、登録された（２）板ガラスＧの輪郭形状の情報に基づいて、砥石４が走行する軌道Ｓを設定し、工具保持部２に伝達することが可能となっている。なお、板ガラスＧの輪郭形状は、図示省略の輪郭形状測定器（例えば、コントレーサ）によって割り出される。さらに、制御部１１は、登録された（１）〜（４）の情報に基づいて、未知の傾斜角度θの値を割り出すと共に、割り出されたθの値（仮想読取点Ｐ0が複数である場合は、それぞれに基づいて割り出された複数のθの値における平均値）を工具保持部２に伝達することが可能となっている。ここで、本実施形態において、「理想姿勢」とは、板ガラスＧの輪郭形状である楕円において、楕円の長径がＸ軸と重なると共に、短径がＹ軸と重なるように、板ガラスＧが加工台８に保持された場合の姿勢をいう。
【００２９】
工具保持部２は、図２に示すように、スピンドル３の先端側（下方側）に取り付けられ、且つ当該スピンドル３の周りを任意の回転数で回転する砥石４を保持している。砥石４は、端面Ｇａの上下端に位置する両エッジに対して、同時に研削を実行し、面取りを施すことが可能となっており、厚み方向の中央側から上方側、及び下方側に向かって、漸次にその径が拡大するテーパー部を有している。また、工具保持部２は、制御部１１から伝達された軌道Ｓに沿って砥石４を走行させるため、互いに直交するＸ方向、Ｙ方向、Ｚ方向（Ｘ方向、及びＹ方向は、それぞれＸＹ座標におけるＸ軸、Ｙ軸と平行）に自在に移動可能な構成となっている。そして、工具保持部２のＺ方向への移動によって、砥石４と板ガラスＧの端面Ｇａとの高さ位置を合致させると共に、工具保持部２のＸ方向、Ｙ方向への動きに追従して、砥石４がＸ方向、Ｙ方向に移動することで、軌道Ｓに沿って走行し、端面Ｇａに端面仕上げを施すように構成されている。さらに、工具保持部２は、制御部１１から伝達された傾斜角度θの値に基づいて、砥石４が走行する軌道Ｓを、回転中心点Ｏを中心として、θだけ傾斜させる補正を実行することが可能となっている。
【００３０】
座標読取部５は、工具保持部２に固定されたシリンダー７に内包されるピストン１２と連結されている。また、シリンダー７は、Ｚ方向に沿って長手とされると共に、その内部空間は、図示省略の空気圧縮手段（例えば、エアコンプレッサー）と接続されており、内部空間内の空気圧を調整することが可能となっている。これにより、座標読取部５は、Ｘ方向、及びＹ方向には、工具保持部２の動きに追従して移動すると共に、シリンダー７内の空気圧の変化に伴ってピストン１２が上下動することにより、工具保持部２から独立してＺ方向に移動可能な構成とされている。さらに、座標読取部５の下部には、接触式のセンサー６が備えられており、当該センサー６が、座標読取部５のＹ方向への移動により、加工台８に載置された板ガラスＧの端面Ｇａと当接して、図３に示す読取点Ｐ1の座標を読み取るように構成されている。なお、このセンサー６としては、非接触式のものを用いてもよい。ここで、センサー６の繰り返し読み取り精度は、０．０１ｍｍ以下であることが好ましい。
【００３１】
以上の構成から、本実施形態においては、加工台８が、板ガラスＧを保持する保持部を構成し、砥石４が、保持された板ガラスＧに端面仕上げを施す処理部を構成している。また、工具保持部２が傾斜角度θを補正する補正手段を構成している。
【００３２】
以下、上記の板状物製造装置１を用いた板状物製造方法について説明する。なお、板状物製造方法について説明するための各図面において、板ガラスＧ以外の要素については図示を省略している。また、本実施形態においては、仮想読取点Ｐ0の数を二点としているが、後述のように、本発明に係る板状物製造方法は、このような態様に限定されるものではない。
【００３３】
まず、板ガラスＧが実際に加工台８に保持される前に、予め制御部１１に対して、以下の（１）〜（３）の情報が登録される。すなわち、図４に示すように、仮想的に理想姿勢で加工台８に保持された板ガラスＧに関して、（１）回転中心点Ｏの位置と、（２）板ガラスＧの輪郭形状と、（３）二点の仮想読取点Ｐ0（Ｐ01、及びＰ02）の各々の座標との情報が登録される。また、制御部１１に登録された（２）板ガラスＧの輪郭形状の情報に基づいて、砥石４が走行する軌道Ｓが設定される。ここで、仮想読取点Ｐ01の位置とＰ02の位置とは、Ｙ軸を基準として線対称な位置とすることが好ましい。なお、以下の説明において、この二点の仮想読取点Ｐ0のＸ座標を、Ｐ01については、Ｘ01と表記し、Ｐ02については、Ｘ02と表記する。
【００３４】
これにより、同図に示すように、仮想読取点Ｐ0の各々における端面Ｇａの接線Ｌ0（Ｌ01、及びＬ02）が定まると共に、これらの接線Ｌ0とＸ軸との交差角度θ0（θ01、及びθ02）が定まる。また、副次的にＸ軸と、仮想読取点Ｐ0及び回転中心点Ｏを通過する直線との、交差角度θ1（θ11、及びθ12）が定まる。
【００３５】
次に、ガイドを固定位置に待機させた状態で、板ガラスＧを加工台８に載置すると共に、ガイドと端面Ｇａとを当接させることで、当該板ガラスＧの位置決めを実行する。なお、この際、加工台８に予め目印を付けておき、この目印と回転中心点Ｏとが合致するように載置することが好ましい。このようにすれば、板ガラスＧにおいて、理想姿勢からの傾斜のみでなく、回転中心点Ｏの位置までもがずれるような事態の発生を回避できる。そして、位置決めが完了すると、載置面９に設けられた吸引孔１０により、板ガラスＧに負圧を作用させ、当該板ガラスＧを加工台８に固定する。その後、ガイドを固定位置から退避させる。このようにして、板ガラスＧが実際に加工台８に保持される。
【００３６】
このとき、図５に示すように、実線で表した実際に加工台８に保持された板ガラスＧは、二点鎖線で表した仮想的に理想姿勢で加工台８に載置された板ガラスＧから、不可避に回転中心点Ｏの周りに、未知の傾斜角度θだけ傾斜した姿勢で保持されている。この状態下において、実際に保持された板ガラスＧに関して、表面の外周輪郭を形成する端面Ｇａと仮想読取点Ｐ0をＹ軸と平行に通過する座標軸平行直線ＹＹとの交点に位置する実際の読取点Ｐ1（Ｐ11、及びＰ12）の座標をセンサー６で読み取る。読取点Ｐ11を読み取る際には、センサー６をＸＹ座標平面上において、Ｘ＝Ｘ01に沿ってＹ方向へ移動させ、板ガラスＧの端面Ｇａと当接させる。同様に、読取点Ｐ12を読み取る際には、センサー６をＸ＝Ｘ02に沿ってＹ方向へ移動させることで、センサー６を板ガラスＧの端面Ｇａと当接させる。これにより、読取点Ｐ1の座標が読み取られ、これらの座標の情報が制御部１１に登録される。
【００３７】
以上から、未知の傾斜角度θを割り出すための４つの要素、すなわち、仮想的に理想姿勢で加工台８に保持された板ガラスＧについての、回転中心点Ｏの位置と、仮想読取点Ｐ0（Ｐ01、及びＰ02）の座標と、接線Ｌ0（Ｌ01、及びＬ02）とＸ軸との交差角度θ0（θ01、及びθ02）と、実際に保持された前記板状物についての、読取点Ｐ1（Ｐ11、及びＰ12）の座標との情報が得られると共に、これらの情報が制御部１１に登録される。
【００３８】
ここで、これら４つの要素のうち、仮想読取点Ｐ0と、接線Ｌ0とＸ軸との交差角度θ0と、読取点Ｐ1との３つの要素については、上述のように、要素毎に二つずつパラメーターが存在するが、これらのうち、一方の組のパラメーター（Ｐ01、θ01、Ｐ11）と回転中心点Ｏとに基づいて、未知の傾斜角度θを割り出す過程と、他方の組のパラメーター（Ｐ02、θ02、Ｐ12）と回転中心点Ｏとに基づいて、未知の傾斜角度θを割り出す過程とは同一である。そこで、以下の説明においては、一方の組のパラメーター（Ｐ01、θ01、Ｐ11）と回転中心点Ｏとに基づいて、未知の傾斜角度θを割り出す過程にのみ着目して説明をする。
【００３９】
上述のように、仮想読取点Ｐ0の座標と、読取点Ｐ1の座標との情報が得られたことで、図６（図５において丸で囲ったＥ部を拡大した図）に示すように、座標軸平行直線ＹＹに沿った仮想読取点Ｐ0に対する読取点Ｐ1の変位ΔＹが得られる。ここで、仮想的に理想姿勢で加工台８に保持された板ガラスＧにおける仮想読取点Ｐ0は、実際に加工台８に保持された板ガラスＧが、理想姿勢から回転中心点Ｏの周りに、未知の傾斜角度θだけ傾斜していることにより、同図に軌跡Ｒで示すように、実際に加工台８に保持された板ガラスＧにおいては、点Ｐ0´に移動している。この点Ｐ0´の座標Ｐ0´（Ｘ0´，Ｙ0´）は、
【数５】
2014210329.tif 000010
で表される。
【００４０】
また、仮想読取点Ｐ0における端面Ｇａの接線Ｌ0も、回転中心点Ｏの周りに未知の傾斜角度θだけ傾斜して移動する。これにより、点Ｐ0´における端面Ｇａの接線Ｌ0´は、その傾きがｔａｎ（θ0＋θ）で表されることから、接線Ｌ0´のＸＹ平面上における方程式は、
【数６】
2014210329.tif 000011
で表される。そして、数６の式にＸ＝Ｘ0を代入したときのＹの値をＹ1とすると、Ｙ1の値は、
【数７】
2014210329.tif 000012
で表される。これにより、同図に示す点Ｑの座標Ｑ（Ｘ0，Ｙ1）が判明する。
【００４１】
ここで、座標軸平行直線ＹＹに沿った仮想読取点Ｐ0に対する読取点Ｐ1の変位ΔＹの値と、座標軸平行直線ＹＹに沿った仮想読取点Ｐ0と点Ｑとの間の距離（Ｙ1−Ｙ0）とが略等しいものと近似できることから、ΔＹ≒Ｙ1−Ｙ0より、ΔＹの値は、
【数２】
2014210329.tif 000013
で表される。この数２の式を、例えば二分法を用いて、θについて解くことにより、未知の傾斜角度θの値が割り出される。また、同様にして、他方の組のパラメーター（Ｐ02、θ02、Ｐ12）と回転中心点Ｏとに基づいて、未知の傾斜角度θの値を割り出すことが可能である。そして、これら二つのθの値の平均値を制御部１１から工具保持部２に伝達する。
【００４２】
これにより、制御部１１から伝達された平均値の値に基づいて、図７に示すように、補正工程として、工具保持部２が、砥石４が走行する軌道Ｓを、回転中心点Ｏを中心としてθだけ傾斜させる。その結果、研削による削り代が、適正量に対して過大となる部位、及び過小となる部位を発生させることなく、板ガラスＧの端面Ｇａに端面仕上げが施される。
【００４３】
このような方法によれば、仮想的に理想姿勢で加工台８に保持された板ガラスＧにおける三つの要素（回転中心点Ｏ、仮想読取点Ｐ0の座標、端面Ｇａの接線Ｌ0とＸ軸との交差角度θ0）と、実際に加工台８に保持された板ガラスＧにおける一つの要素（読取点Ｐ1の座標）との四つの要素のみに基づいて、未知の傾斜角度θを割り出すことができる。これにより、工具保持部２による傾斜角度θの補正を極めて簡便に行うことが可能となるため、板ガラスＧの輪郭形状によらず、板ガラスＧに対する端面仕上げを円滑に実施することができる。
【００４４】
また、仮想読取点Ｐ0の数を二点としたことで、一方の組のパラメーター（Ｐ01、θ01、Ｐ11）と回転中心点Ｏとに基づいて、或いは、他方の組のパラメーター（Ｐ02、θ02、Ｐ12）と回転中心点Ｏとに基づいて割り出された各傾斜角度θの値と、真の傾斜角度の値（真値）との間に、大きな誤差が発生している場合であっても、各傾斜角度θの値について平均値をとれば、誤差が互いに打ち消されやすくなる。そのため、この平均値と、真の傾斜角度の値とを略等しくすることができ、より正確に傾斜角度θを割り出すことが可能となる。
【００４５】
なお、上述の方法においては、未知の傾斜角度θを割り出す式として、数２の式を用いているが、傾斜角度θは、以下に示す数３の式、或いは、数４の式によっても割り出すことが可能である。
【００４６】
すなわち、数２の式の両辺をＸ0（ただし、Ｘ0≠０）で割ると共に、ｔａｎ（θ0＋θ）に加法定理を適用し、ｔａｎθ1＝Ｙ0／Ｘ0を用いると、数２の式は、以下のように変形することができる。
【数８】
2014210329.tif 000014
【００４７】
ここで、１−ｔａｎθｔａｎθ0の項のうち、ｔａｎθｔａｎθ0は、１よりも十分に小さいものとして無視すると、１−ｔａｎθｔａｎθ0≒１と近似できる。ただし、この近似は、θ0の値が、−４５°＜θ0＜４５°の場合に適用することが好ましい。さらに、傾斜角度θの値は実用上において、１°以下と極めて小さい値をとるため、ｔａｎθ≒θ、ｓｉｎθ≒θ、ｃｏｓθ≒１と近似できる。これにより、数８の式は、
【数９】
2014210329.tif 000015
と整理することができる。この数９の式をθについて解くと、
【数３】
2014210329.tif 000016
となる。この数３の式から得られる解（θ）は、二つ存在するが、一方は非現実的な値となるため、いずれが正しい解であるかは容易に判別することが可能である。ただし、ｔａｎθ0ｔａｎθ1の値が−１に近くなると、二つの解のいずれが正しいのか判別が困難となる。
【００４８】
さらに、数９の式において、ｔａｎθ0ｔａｎθ1の値が−１から十分に外れている場合、第一項は、他の項と比較して十分に小さくなり、無視することができる。これにより、以下の式が得られる。
【数４】
2014210329.tif 000017
【００４９】
ここで、本発明に係る板状物製造装置の構成、及び板状物製造方法は、上記の実施形態に限定されるものではない。例えば、上記の実施形態においては、板状物として板ガラスを使用した態様となっているが、板状物は板ガラスの他、ガラス積層体、板ガラスと樹脂板とを貼り合わせた積層体（合わせガラス）、金属板、セラミック板、半導体板等であってもよい。また、上記の実施形態においては、板状物（板ガラス）の輪郭形状が楕円となっているが、外周輪郭が曲線のみで形成された他の輪郭形状であってもよいし、矩形や菱形等の外周輪郭に直線が含まれる輪郭形状であってもよい。さらに、製造関連処理としては、研削による端面仕上げの他、穴開け処理、フォトマスク処理、印刷処理、塗布処理等であってもよい。
【００５０】
加えて、仮想読取点の数は、必ずしも二点でなくともよく、一点のみであってもよいし、三点以上であってもよい。ただし、板状物の輪郭形状が線対称な形状を有する場合には、仮想読取点の数を偶数とし、これらの位置を線対称な配置とすることが好ましい。
【００５１】
また、上記の実施形態においては、ＸＹ座標の座標軸は、Ｘ軸と楕円の長径とが重なると共に、Ｙ軸と楕円の短径とが重なる態様となっているが、この限りではなく、Ｘ軸と短径とが重なると共に、Ｙ軸と長径とが重なる態様としてもよい。すなわち、ＸＹ座標の取り方は、上記の実施形態に限定されるものではない。加えて、上記の実施形態においては、板ガラスの理想姿勢として、楕円の長径がＸ軸と重なり、短径がＹ軸と重なる姿勢とされているが、Ｘ軸と長径が交差すると共に、Ｙ軸と短径が交差するような姿勢を理想姿勢としても構わない。
【００５２】
さらに、上記の実施形態においては、工具保持部が補正手段を構成しているが、この限りではない。例えば、制御部で割り出された傾斜角度を工具保持部ではなく、加工台に伝達する構成とし、加工台が回転中心点の周りに、割り出された傾斜角度に応じて傾斜することで、補正を実行する構成としてもよい。つまり、このようにした場合には、加工台が補正手段を構成することになる。
【００５３】
加えて、上記の実施形態においては、工具保持部がＸ方向、Ｙ方向、Ｚ方向に移動する構成とされているが、工具保持部を固定して設置すると共に、加工台がＸ方向、Ｙ方向、Ｚ方向に移動する構成としてもよい。また、例えば、Ｘ方向、Ｙ方向、Ｚ方向のうち、工具保持部がＸ方向、Ｙ方向にのみ移動する構成とすると共に、加工台がＺ方向にのみ移動する構成としてもよい。
【符号の説明】
【００５４】
１          板状物製造装置
２          工具保持部
４          砥石
８          加工台
１１        制御部
Ｇ          板ガラス
Ｇａ        板ガラスの端面（表面の外周輪郭）
Ｏ          回転中心点
Ｐ0         仮想読取点
Ｐ1         読取点
Ｌ0         端面における接線
θ          傾斜角度
θ0         Ｘ軸と接線との交差角度
θ1         Ｘ軸と仮想読取点及び回転中心点を通過する直線との交差角度
ＹＹ        座標軸平行直線
ΔＹ        仮想読取点に対する読取点の変位
【図１】
2014210329.tif 000024
【図２】
2014210329.tif 000025
【図３】
2014210329.tif 000026
【図４】
2014210329.tif 000027
【図５】
2014210329.tif 000028
【図６】
2014210329.tif 000029
【図７】
2014210329.tif 000030
【図８】
2014210329.tif 000031